(57)【要約】【課題】迅速且つ適切にバルブを制御しながらも、その制御状態をモニタして、防爆構造体に収容された状態で外部機器に必要な情報を出力することが可能な石油化学プラントのバルブ制御装置を提供する。【解決手段】開度センサから入力されるバルブ開度値と主制御装置から入力されるバルブの制御指令値に基づいて、バルブの開度をフィードバック制御する制御部２０と、制御部２０による制御情報を記憶する記憶部４４，４６及び光通信インタフェース４３を備えた表示部４０とが防爆構造体に収容され、表示部４０が制御部２０とＬＡＮ接続された共有メモリＣＭを介して取得した制御情報を記憶部に記憶するように構成し、防爆構造体に収容された状態で光通信インタフェースを介して情報収集装置７０に制御情報を出力する石油化学プラントのバルブ制御装置。【選択図】図６
2010039714.tif 000002
【特許請求の範囲】
【請求項１】
バルブの開度を検出する開度センサから入力されるバルブ開度値と主制御装置から入力される前記バルブの制御指令値に基づいて、油圧機構を制御して前記バルブの開度をフィードバック制御する制御部と、前記制御部による制御情報を記憶する記憶部とが防爆構造体に収容され、前記防爆構造体に収容された状態で前記記憶部に記憶された制御情報を読み出す情報収集装置を接続可能な光通信インタフェースを備えている石油化学プラントのバルブ制御装置。
【請求項２】
前記記憶部に、前記制御情報をリングバッファ形式で記憶する第一記憶領域と、前記制御情報に警報情報が含まれているときに、前記第一記憶領域に記憶された前記警報情報発生の直前の所定時間の制御情報を記憶する第二記憶領域を備えた第一記憶素子を備えている請求項１記載の石油化学プラントのバルブ制御装置。
【請求項３】
前記記憶部に、前記第一記憶素子よりも記憶容量が大きく、前記第一記憶素子の第一記憶領域に格納される制御情報が累積的に記憶される着脱自在な第二記憶素子を備えている請求項２記載の石油化学プラントのバルブ制御装置。
【請求項４】
前記バルブの制御状態を表示する表示部に前記記憶部及び光通信インタフェースを備えるとともに、前記表示部と前記制御部の夫々にＬＡＮ接続された共有メモリを備え、前記表示部が前記共有メモリを介して取得した前記制御情報を前記記憶部に記憶し、前記光通信インタフェースを介して前記情報収集装置に前記制御情報を出力する請求項１から３の何れかに記載の石油化学プラントのバルブ制御装置。
【請求項５】
前記表示部は前記光通信インタフェースを介して前記情報収集装置から送信された制御パラメータを前記共有メモリを介して前記制御部に配信し、前記制御部は前記共有メモリを介して得た制御パラメータに基づいて前記バルブの開度をフィードバック制御する請求項４記載のバルブ制御装置。
【発明の詳細な説明】
【技術分野】
【０００１】
本発明は、石油精製のためのＦＣＣ装置やＲＦＣＣ装置等の石油化学プラントに組み込まれたバルブを制御するバルブ制御装置に関する。
【背景技術】
【０００２】
石油化学プラントでは、被制御流体に対する制御の誤りにより爆発等の危険を招く虞があることや、機器の異常により運転を一旦停止すると、運転の再開には機器の点検等に手数を要することから、使用するバルブ及びバルブ制御装置には、高い信頼性が求められる。
【０００３】
通常、可燃性ガスの漏洩等に備えて、スパークが発生する虞のあるバルブ制御装置は防爆構造体に収容されている。
【０００４】
特許文献１には、バルブを制御する電気モータ駆動体と、ハウジング内に含まれるアクチュエータの作動を制御する電子制御ユニットとを有し、電子セッティング手段によってハウジング外から電子制御ユニットを遠隔操作するために、電子制御ユニットに近接するハウジングを通してインターフェイスポートが設けられ、電子セッティング手段がインターフェイスポートを経由して電子制御ユニットをセッティングするためのコード化された信号を伝送するために適用され、アクチュエータのセッティングがハウジングに物理的にアクセスすることなく実施することができるバルブアクチュエータが提案されている。
【０００５】
特許文献１によれば、例えば、インターフェイスポートを介して赤外線通信等を行なうことにより、ハウジングによる防爆構造を維持した状態で電子制御ユニットと外部の電子セッティング手段とが通信可能に構成することができる。
【特許文献１】特公平７−１１１６５３号公報
【発明の開示】
【発明が解決しようとする課題】
【０００６】
通常、バルブ制御装置にはマイクロコンピュータが組み込まれている。大型のバルブを制御するために油圧サーボ機構を介してバルブを高速に制御するような場合には、マイクロコンピュータは、主制御装置からの制御指令、及び油圧、油温、バルブ開度等の複数のセンサ入力に基づいて所定の制御演算を実行し、その結果、オイルポンプやサーボバルブ等を適切に駆動制御しながらも、各負荷の動作状態が適正であるか否かを検出し、異常があれば速やかに報知するといったような複数のジョブを所定の制御周期で繰り返し実行する必要がある。
【０００７】
そのようなバルブ制御装置に対して、機器の故障やメンテナンスの際に機器の制御状態を確認して、その結果に基づいて適切な修理を施すべく、バルブ制御装置に機器の制御状態を記憶するメモリを備え、その内容を外部機器から読み出すように構成することが考えられている。
【０００８】
その際、バルブ制御装置が防爆構造体に収容された状態で外部機器を接続するため、赤外線通信インタフェース等の光通信インタフェースを設置することが好ましいのであるが、そのような複雑な処理を実行するマイクロコンピュータに、さらに赤外線通信処理という負担を掛けると、制御周期が長くなり、バルブを目標開度に迅速に制御することが困難になるという問題があった。
【０００９】
本発明は、上述した従来の問題点に鑑みてなされたものであり、迅速且つ適切にバルブを制御しながらも、その制御状態をモニタして、防爆構造体に収容された状態で外部機器に必要な情報を出力することが可能な石油化学プラントのバルブ制御装置を提供することを目的とする。
【課題を解決するための手段】
【００１０】
上述の目的を達成するため、本発明による石油化学プラントのバルブ制御装置の第一の特徴構成は、特許請求の範囲の書類の請求項１に記載した通り、バルブの開度を検出する開度センサから入力されるバルブ開度値と主制御装置から入力される前記バルブの制御指令値に基づいて、油圧機構を制御して前記バルブの開度をフィードバック制御する制御部と、前記制御部による制御情報を記憶する記憶部とが防爆構造体に収容され、前記防爆構造体に収容された状態で前記記憶部に記憶された制御情報を読み出す情報収集装置を接続可能な光通信インタフェースを備えている点にある。
【００１１】
上述の構成によれば、バルブ制御装置の防爆状態を保った安全な状態で、記憶部に記憶された制御情報を、制御部を介することなく光通信インタフェース介して情報収集装置に読み込むことができるようになる。
【００１２】
同第二の特徴構成は、同請求項２に記載した通り、上述の第一特徴構成に加えて、前記記憶部に、前記制御情報をリングバッファ形式で記憶する第一記憶領域と、前記制御情報に警報情報が含まれているときに、前記第一記憶領域に記憶された前記警報情報発生の直前の所定時間の制御情報を記憶する第二記憶領域を備えた第一記憶素子を備えている点にある。
【００１３】
情報収集装置が何時の時点で接続されるか不明であるため、それに備えて制御情報を記憶するためには、十分な記憶容量を備えたメモリを実装する必要がある。しかし、容量を増加するとコストが嵩む。そこで、第一記憶領域にリングバッファ形式で制御情報を書込み、第二記憶領域には警報情報発生の直前の所定時間の制御情報を記憶する第一記憶素子を備えることにより、少なくともリングバッファには上書きされるまでの間の直近の制御情報と、警報情報発生の原因の推定に資する制御情報を情報収集装置に出力することが可能となる。
【００１４】
同第三の特徴構成は、同請求項３に記載した通り、上述の第二特徴構成に加えて、前記記憶部に、前記第一記憶素子よりも記憶容量が大きく、前記第一記憶素子の第一記憶領域に格納される制御情報が累積的に記憶される着脱自在な第二記憶素子を備えている点にある。
【００１５】
上述の構成によれば、過去に亘る制御情報が第二記憶素子に累積的に記憶されるようになる。また、例えば、第一記憶素子への制御情報の記憶周期より長い周期で制御情報を記憶することにより、より長期間の制御情報を記憶することができるようになる。
【００１６】
同第四の特徴構成は、同請求項４に記載した通り、上述の第一から第三の何れかに特徴構成に加えて、前記バルブの制御状態を表示する表示部に前記記憶部及び光通信インタフェースを備えるとともに、前記表示部と前記制御部の夫々にＬＡＮ接続された共有メモリを備え、前記表示部が前記共有メモリを介して取得した前記制御情報を前記記憶部に記憶し、前記光通信インタフェースを介して前記情報収集装置に前記制御情報を出力する点にある。
【００１７】
バルブ制御装置が、バルブの開度を制御する制御部と、制御部によるバルブの制御状態を表示する表示部とに機能分離され、表示部と制御部の夫々に備えた共有メモリをＬＡＮ（例えば、ＣＵｎｅｔ（リアルタイム分散処理ネットワーク））接続することによりデータが共用可能になる。そして、制御部によりバルブの開度制御機能が実現され、表示部により制御情報のモニタ表示や情報収集装置に対する制御情報の出力機能が実現される。このとき、制御部が把握している制御情報は共有メモリを介して表示部に伝送され、表示部が把握している制御情報は共有メモリを介して制御部に伝送される。表示部が共有メモリを介して取得した制御情報は記憶部に記憶され、光通信インタフェースを介して情報収集装置に出力される。つまり、制御部と制御部とに機能分離して制御部の負荷の軽減を図ることにより、迅速且つ適切に所定周期でバルブを制御でき、表示部はバルブの制御周期とは独立して表示制御或は情報収集装置への制御情報の出力が行なえるようになる。
【００１８】
同第五の特徴構成は、同請求項５に記載した通り、上述の第四の特徴構成に加えて、前記表示部は前記光通信インタフェースを介して前記情報収集装置から送信された制御パラメータを前記共有メモリを介して前記制御部に配信し、前記制御部は前記共有メモリを介して得た制御パラメータに基づいて前記バルブの開度をフィードバック制御する点にある。
【００１９】
上述の構成によれば、制御部がバルブを制御し、或は異常を検出する際に必要となる制御パラメータを情報収集装置から入力することができるようになる。情報収集装置から表示部に入力された制御パラメータは、共有メモリを介して制御部に配信される。つまり、表示部が自身の共有メモリに制御パラメータを格納すると、ＬＡＮ（例えば、ＣＵｎｅｔ）を介して制御部の共有メモリに制御パラメータがコピーされるので、制御部は自身の共有メモリにコピーされた制御パラメータを取り込むことができるようになる。
【発明の効果】
【００２０】
以上説明した通り、本発明によれば、迅速且つ適切にバルブを制御しながらも、その制御状態をモニタして、防爆構造体に収容された状態で外部機器に必要な情報を出力することが可能な石油化学プラントのバルブ制御装置を提供することができるようになった。
【発明を実施するための最良の形態】
【００２１】
以下に、石油化学プラントの一例である石油精製のためのＦＣＣ装置やＲＦＣＣ装置に組み込まれたバルブ制御装置を説明する。図１に示すように、バルブの制御装置１は、プラントに組み込まれたバルブＶの近傍に配置された油圧ユニットＵに組み込まれ、プラントの主制御装置ＣＴから入力されたバルブＶに対する目標開度信号と開度センサＳで検出されたバルブの開度信号に基づいて、油圧機構ＶＤを制御してバルブＶの開度を調整し、主制御装置ＣＴにバルブＶの開度状態を表す位置信号を出力する制御装置である。
【００２２】
図２に示すように、油圧ユニットＵは、油圧ポンプとアキュムレータとアクチュエータとしての油圧制御用のサーボ弁等を備えた油圧機構ＶＤと、制御装置１が収容される防爆構造のケーシングＣと、ケーシングＣ内に防爆用の空気を圧入するエアユニットＡＵ等を備えている。
【００２３】
制御装置１は、開度センサＳから入力されるバルブ開度値と主制御装置ＣＴから入力されるバルブＶの制御指令値に基づいて、油圧機構を制御してバルブＶの開度をフィードバック制御する制御部２０，３０と、制御部２０，３０による制御情報を記憶する記憶部と記憶部に記憶された制御情報に基づいてバルブＶの制御状態を液晶表示パネルに表示する表示部４０を備えている。
【００２４】
ケーシングＣの扉は透明ガラスが配され、内部の制御装置１に備えた液晶表示パネルの画面が外部から認識可能に構成されている。また、扉には複数の防爆型のスイッチＳＷ１，ＳＷ２，ＳＷ３が取り付けられている。
【００２５】
スイッチＳＷ１は回転式の多接点スイッチまたは押しボタン式スイッチで、当該スイッチＳＷ１の回転操作または押圧操作により、ケーシングＣの防爆状態を維持した状態で、液晶表示パネルの表示画面を切り替え操作することが可能になっている。
【００２６】
また、スイッチＳＷ２は押しボタン式スイッチで本発明による制御モード切替操作部となり、当該スイッチＳＷ２を操作することにより、ケーシングＣの防爆状態を維持した状態で、制御装置１がローカル制御モードとリモート制御モードに切り替えられる。
【００２７】
さらに、スイッチＳＷ３は可変抵抗器を内蔵したダイアルスイッチで本発明による手動操作部となり、ローカル制御モードで当該スイッチＳＷ３を回転操作することにより、ケーシングＣの防爆状態を維持した状態で、バルブＶの開度を手動制御することが可能となる。
【００２８】
制御装置１は、バルブＶの開度を検出する開度センサＳから入力されるバルブ開度値と、主制御装置ＣＴまたは手動操作部ＳＷ３から入力されるバルブＶの制御指令値、つまり目標開度信号に基づいて、バルブＶを駆動するサーボ弁に対する制御値を算出し、算出した制御値に基づいてバルブＶの開度をフィードバック制御するための複数の制御部を備えている。
【００２９】
図３に示すように、制御対象であるバルブＶは、プラントの運転状態に応じて流路Ｐを所定の開度に調整するスライドバルブＶで、サーボ弁を介して供給される圧油により駆動される油圧シリンダＳＬのピストンに連結された弁棒Ｖ２を介して弁体Ｖ１がスライド駆動される。ピストンと弁棒Ｖ２の間にはカップリングを介して一対の磁歪式の開度センサＳ（Ｓ１，Ｓ２）が組み込まれ、開度センサＳの出力が制御装置１に入力されている。尚、制御対象であるバルブＶは、スライドバルブＶに限るものではなく、プラグ弁、バタフライ弁等の他のバルブでも同様である。
【００３０】
磁歪式の開度センサＳとは、ピストンの進退移動に伴なって、センサロッド上を非接触で移動するマグネットにより発生するねじり歪の伝播時間を計測することによりマグネットの位置、つまりバルブＶの開度を計測するセンサである。
【００３１】
図４に示すように、制御装置１は、二枚の制御部基板２，３と、表示部基板４と、端子基板５等を備え、夫々が単一または複数のコネクタで接続されている。二枚の制御部基板２，３の夫々により本発明による二つの制御部２０，３０が構成され、表示部基板４により表示部４０が構成されている。
【００３２】
制御部基板２，３及び表示部基板４は、端子基板５を介して、主制御装置ＣＴ及び制御対象であるバルブ駆動機構との間で各種の信号が入出力される。
【００３３】
具体的に、端子基板５を介して主制御装置ＣＴから制御部２０，３０にバルブＶの制御指令値が入力されるとともに、制御部２０，３０から主制御装置ＣＴにバルブＶの位置信号が出力される。また、端子基板５を介して一対の開度センサＳからのバルブ開度値が入力され、制御部２０，３０からサーボ弁に制御信号が出力される。
【００３４】
さらに、制御モード切替操作部としてのスイッチＳＷ２の出力、及び、手動操作部としてのスイッチＳＷ３からの制御指令値が、端子基板５を介して制御部基板２，３に入力され、スイッチＳＷ１の出力が表示部基板４に直接入力されている。
【００３５】
図６に示すように、一対の制御部２０，３０及び表示部４０には、夫々ＣＰＵと、ＣＰＵにより実行される制御プログラムが記憶されたＲＯＭと、ワーキング領域として使用されるＲＡＭが内蔵されたマイクロコンピュータ、及び周辺回路が搭載され、当該制御プログラムがＣＰＵにより実行されることにより、所期のバルブ制御機能等が実現される。
【００３６】
制御部２０，３０及び表示部４０には、通信バスとして機能する、例えばＣＵｎｅｔ（株式会社ステップテクニカの登録商標）等のローカルネットワークで接続された共有メモリＣＭが夫々設けられ、各制御部２０，３０による制御情報、制御パラメータ、表示データ等が共有メモリＣＭを介して共有されるように構成されている。
【００３７】
各共有メモリＣＭは、自身が制御情報を読み書き可能な領域と、自身の書込みが禁止され、他の制御部または表示部により書き込まれた制御情報を読出し可能な領域に区分され、ローカルネットワークを介して所定周期、例えば１０ｍｓｅｃ．周期で各共有メモリに書き込まれた情報が他の共有メモリの対応する領域にコピーされる。
【００３８】
つまり、各制御部２０，３０及び表示部４０のＣＰＵによって夫々に設けられた共有メモリＣＭの書込み領域に書き込まれた制御情報等が、ローカルネットワークを介して各共有メモリＣＭの読出し領域にコピーされることにより、ＣＰＵを介さずに互いの制御情報等の交信が可能となるように構成されている。
【００３９】
表示部基板４には、カラー液晶表示ユニット４５が組み込まれ、共有メモリＣＭを介して収集された制御情報に基づいて、カラー液晶表示ユニット４５に図５に示すようなバルブの制御状態等を示すモニタ画面が表示される。
【００４０】
表示部基板４には、第一記憶素子として、電池バックアップされた数ＭｂｙｔｅのＳＲＡＭ４４が搭載され、共有メモリＣＭを介して得られた各制御部２０，３０による制御情報がリングバッファ形式で格納されるように構成されている。
【００４１】
詳述すると、ＳＲＡＭ４４は、制御情報をリングバッファ形式で記憶する第一記憶領域と、制御情報に警報情報が含まれているときに、第一記憶領域に記憶された警報情報発生の直前の所定時間の制御情報を少なくとも光通信インタフェースを介して情報収集装置に出力するまでの間記憶する第二記憶領域を備えている。
【００４２】
さらに、ＳＲＡＭ４４よりも記憶容量が大きく、ＳＲＡＭ４４の第一記憶領域に格納される制御情報が累積的に記憶される着脱自在な第二記憶素子としての数Ｇｂｙｔｅ（例えば、２Ｇｂｙｔｅ）のＳＤメモリ４６を備えている。
【００４３】
制御情報には、主制御装置ＣＴから入力されるバルブＶの制御指令値、開度センサＳから入力されるバルブ開度値、サーボ弁に対する制御値、バルブに対するスラスト押し圧力、スラスト引き圧力の他、ポンプの圧力、アキュムレータ圧力、油温、油液レベル、ポンプモータの電流等の計測データ、それらの計測データに基づいて制御部２０，３０が自己診断した結果検出される異常データ、後述する制御部２０，３０の暴走等の異常データ、バルブやバルブを駆動する油圧シリンダ等の累積稼動距離或は累積稼動時間等の累積稼動データが含まれる。
【００４４】
また、表示部基板４には、ＬＡＮを介して遠隔地に配置されたパーソナルコンピュータとの間で通信を行ない、カラー液晶表示ユニット４５に表示される制御状態等を当該パーソナルコンピュータに送信する通信インタフェース４２、防爆構造のケーシングＣの扉を開放することなく扉を閉めた状態で、情報収集装置としてのパーソナルコンピュータと通信可能な赤外線インタフェース４３を備えている。
【００４５】
表示部４０が、赤外線インタフェース４３を介して情報収集装置から入力された、各種の初期設定用の制御パラメータを自身の共有メモリＣＭに書き込むと、ローカルネットワークを介して配信され、各制御部２０，３０の共有メモリＣＭに当該制御パラメータがコピーされる。
【００４６】
制御パラメータには、二系統の制御部２０，３０の何れが初期の制御権を有するかを設定する制御権パラメータ、二重化された開度センサＳの何れを初期に選択するかを設定するセンサ選択パラメータ、主制御装置ＣＴから制御部２０，３０に入力されるバルブＶの制御指令値に対する信号レベル（例えば、開度０％から開度１００％までを、４ｍＡから２０ｍＡで規定する電流仕様や、０Ｖから１０Ｖで規定する電圧仕様等）、開度センサＳから入力される開度信号の信号レベル、油圧シリンダのスラスト圧の信号レベルや上下限値、サーボ弁に対する出力信号レベル、主制御装置ＣＴに出力する位置信号の信号レベル、制御部２０，３０で検出される開度センサＣの異常判定基準値等、システムを稼動させるのに必要な所定の制御パラメータが含まれる。
【００４７】
図６に示すように、各制御部２０，３０には、入力信号処理部２６，３６を介して主制御装置ＣＴからの制御指令値がマイクロコンピュータ２１，３１に入力されるとともに、開度信号処理部２２，３２を介して一対の開度センサＳ１，Ｓ２の出力信号の夫々がマイクロコンピュータ２１，３１に入力されるように構成されている。
【００４８】
入力信号処理部２６，３６及び開度信号処理部２２，３２は、信号を電気的に分離するアイソレーションアンプと、アイソレーションアンプのアナログ出力信号をデジタル信号に変換するＡ／Ｄ変換器を備えている。
【００４９】
また、各制御部２０，３０には、マイクロコンピュータ２１，３１から出力されたサーボ弁ＳＶに対する制御値が、サーボ出力部２３，３３を介してサーボ弁ＳＶに出力され、マイクロコンピュータ２１，３１から出力された主制御装置ＣＴへのバルブＶの開度位置が、位置信号出力部２４，３４を介して出力されるように構成されている。
【００５０】
サーボ出力部２３，３３は、デジタルの制御値情報をアナログ信号に変換するＤ／Ａ変換器と、その出力を増幅するドライバ回路を備えている。また、位置信号出力部２４，３４は、デジタルの開度位置情報を電気的に分離するアイソレーション回路と、アイソレーション回路の出力をアナログ信号に変換するＤ／Ａ変換器を備えている。
【００５１】
各制御部２０，３０は、制御モード切替操作部としてのスイッチＳＷ２の操作によって、遠隔設置された主制御装置ＣＴから入力される制御指令値に基づいてバルブＶを駆動制御するリモート制御モードと、近傍設置された手動操作部（スイッチＳＷ３）から入力される制御指令値に基づいてバルブＶを駆動制御するローカル制御モードの何れかの制御モードに切替え可能に構成されている。
【００５２】
上述した制御パラメータに基づいて制御権が設定された制御部（ここでは、制御部２０とする。）は、何れの制御モードであっても、開度センサＳ１，Ｓ２から入力されるバルブ開度値のうちセンサ選択パラメータで選択された開度センサのバルブ開度値と制御指令値に基づいて、デジタルＰＩＤ演算を行なってバルブＶに対する制御値を算出し、算出した制御値に基づいて電磁式のサーボ弁ＳＶに制御信号を出力する。
【００５３】
制御権を有していない待機中の制御部（ここでは、制御部３０となる。）も、同様に、開度センサＳ１，Ｓ２から入力される何れかのバルブ開度値のうちセンサ選択パラメータで選択された開度センサのバルブ開度値と主制御装置ＣＴまたはスイッチＳＷ３から入力される制御指令値に基づいて、デジタルＰＩＤ演算を行なってバルブＶに対する制御値を算出し、算出した制御値に基づいてサーボ弁ＳＶに制御信号を出力する。
【００５４】
その後、各制御部２０，３０は、各開度センサＳ１，Ｓ２に設定されている所定の優先権設定条件に基づいて、何れか一つの開度センサからのバルブ開度値を選択して、制御値を算出する。
【００５５】
所定の優先権設定条件とは、上述したセンサ選択パラメータ以外に、制御指令値に基づく制御信号に対応してバルブ開度値が所定範囲に収束しない状態が所定時間継続するフィードバックロスの発生の有無、制御指令値とバルブ開度値の偏差が増大する方向に変化する状態が所定時間継続する逆ＤＥＶ値の発生の有無をいう。フィードバックロスは開度センサの劣化等による異常、逆ＤＥＶ値は誤配線による異常を検出するものである。これらは、後述する信号判別部２６０（図７参照）で検出される。
【００５６】
各制御部２０，３０は、センサ選択パラメータで選択された開度センサＳに、夫々フィードバックロスまたは逆ＤＥＶ値が発生したと判断すると、他方の開度センサＳに切り替えるとともに、現在選択中の開度センサ情報、異常発生した開度センサの異常情報等を自身の共有メモリＣＭに記憶する。
【００５７】
夫々の共有メモリＣＭに記憶された情報は、ローカルネットワークを介して表示部４０の共有メモリに書き込まれ、表示部４０は、自身の共有メモリＣＭの内容に基づいて、カラー液晶表示ユニット４５にモニタ表示するとともに、ＳＲＡＭ４４、ＳＤメモリ４６に記憶する。
【００５８】
さらに、夫々の開度センサＳに対して、制御指令値とバルブ開度値の偏差であるＤＥＶ値の偏差が異常判定閾値以上になると、開度センサＳを切り替えずに制御装置１に設けた警報部を作動して鳴動させる。
【００５９】
尚、開度センサＳ等に対する各種の異常判定閾値（信号レベル閾値及び継続時間等）は、予めメンテナンス用のパーソナルコンピュータ７０で設定され、各共有メモリＣＭに記憶されている。
【００６０】
前記制御部２０，３０には、制御モード切替操作部ＳＷ２が切替操作されたときに、手動操作部ＳＷ３から入力される制御指令値と、主制御装置ＣＴから入力される制御指令値との偏差に基づいて、制御モードを切り替えるか否かを判断する制御モード切替制御部２１ａ，３１ａを備えている。
【００６１】
主制御装置ＣＴから入力される制御指令値に基づいてバルブＶを制御しているリモート制御モード時に、制御モード切替操作部ＳＷ２が操作されると、制御モード切替制御部２１ａ，３１ａは、手動操作部ＳＷ３から入力される制御指令値と主制御装置ＣＴから入力される制御指令値との偏差が所定範囲、好ましくは略等しい値となった場合に、制御部２０，３０による制御モードをローカル制御モードに切り替える。
【００６２】
また、手動操作部ＳＷ３から入力される制御指令値に基づいてバルブＶを制御しているローカル制御モード時に、制御モード切替操作部ＳＷ２が操作されると、制御モード切替制御部２１ａ，３１ａは、主制御装置ＣＴから入力される制御指令値と手動操作部ＳＷ３から入力される制御指令値との偏差が所定範囲、好ましくは略等しい値となった場合に、制御部２０，３０による制御モードをリモート制御モードに切り替える。
【００６３】
さらに、表示部４０には、手動操作部ＳＷ３から入力される制御指令値と、主制御装置ＣＴから入力される制御指令値との偏差が所定範囲に収束するように、手動操作部ＳＷ３を操作するように案内する案内表示部４１ａを備えている。
【００６４】
案内表示部４１ａは、制御モード切替操作部ＳＷ２が切替操作されたときに、手動操作部ＳＷ３から入力される制御指令値と、主制御装置ＣＴから入力される制御指令値との偏差が所定範囲より大きいときに、当該偏差が所定範囲に収束するように、手動操作部ＳＷ３から入力される制御指令値を変化させるように、手動操作を促すメッセージをカラー液晶表示ユニット４５の表示画面に表示する。
【００６５】
制御モード切替制御部２１ａ，３１ａは、手動操作部ＳＷ３から入力される制御指令値が手動操作により変化して、そのとき主制御装置ＣＴから入力される制御指令値と略同じ値となった場合、或は、主制御装置ＣＴから入力される制御指令値が手動操作部ＳＷ３から入力される制御指令値と略等しくなった場合に制御モードを切り替える。
【００６６】
手動操作部ＳＷ３から入力される制御指令値と、主制御装置ＣＴから入力される制御指令値との偏差が大きいときに制御モードを切り替えると、適正なプラントの運転状態が確保できなくなる虞があるため、当該偏差が所定範囲に収束することを条件として制御モードを切り替えるように構成しているのである。
【００６７】
例えば、操作者が手動操作部ＳＷ３を操作して、制御指令値を主制御装置ＣＴから入力されている制御指令値に近い値に設定操作することにより、適正なプラントの運転状態を維持しながら制御モードを切り替えることができる。尚、偏差の収束条件である所定範囲は、対象となるプラントにより適宜設定される値であり特に限定されるものではない。
【００６８】
詳述すると、図８に示すように、各制御部２０，３０は、制御モード切替操作部ＳＷ２からの操作入力を検出すると（Ｓ１）、そのときに手動操作部ＳＷ３から入力される制御指令値と主制御装置ＣＴから入力される制御指令値との偏差を算出し、当該偏差が所定範囲より大きいと判断すると（Ｓ２）、制御モードを維持しつつ、自身の共有メモリＣＭに制御モード切替のための案内メッセージの表示要求データを書き込む（Ｓ３）。
【００６９】
表示部４０は、自身の共有メモリＣＭにコピーされた案内メッセージの表示要求データを検出すると、カラー液晶表示ユニット４５の表示画面に手動操作部ＳＷ３の操作を促す案内メッセージを表示する（Ｓ４）。案内メッセージには、バルブの開度を大きくするのか、小さくするのかという手動操作部ＳＷ３の操作方向指示が含まれる。
【００７０】
当該画面には、現在の制御モードがローカル制御モードであるかリモート制御モードであるかを識別する制御モード表示部と、手動操作部ＳＷ３から入力される制御指令値と主制御装置ＣＴから入力される制御指令値との偏差が、当該案内メッセージとともに表示される。
【００７１】
当該案内メッセージと偏差を目視確認した操作者により、手動操作部ＳＷ３が操作されて、当該偏差が所定範囲に収束すると、制御部２０，３０により案内メッセージの表示要求データが消去されて（Ｓ２）、その時点でリモート制御モードからローカル制御モードへ（Ｓ５，Ｓ６）、或は、ローカル制御モードからリモート制御モードへ切り替えられる（Ｓ５，Ｓ７）。
【００７２】
尚、上述のフローでは、手動操作部ＳＷ３から入力される制御指令値と主制御装置ＣＴから入力される制御指令値との偏差が所定範囲より大きいときに、手動操作部ＳＷ３の操作により偏差が所定範囲に収束する例を説明したが、主制御装置ＣＴから入力される制御指令値が変化することにより偏差が所定範囲に収束する場合もある。特にローカル制御モードからリモート制御モードに切替操作された場合に、その旨の情報を主制御装置ＣＴに伝送することにより、主制御装置ＣＴが積極的に制御指令値を変化させるように構成することも可能である。モード切替の操作情報を受信したときのバルブ１の開度情報に相当する制御指令値を出力するように主制御装置ＣＴを構成すればよい。
【００７３】
図７に示すように、制御部２０には、自身がサーボ弁に出力した制御信号をサーボ弁ＳＶに接続するか否かを切り替えるリレー回路、及び、主制御装置ＣＴに出力した位置信号の信号線を主制御装置ＣＴへの信号線に接続するか否かを切り替えるリレー回路でなるスイッチ回路２５０（２５０ａ，２５０ｂ）が設けられ、自身が制御権を持つ場合に自身のスイッチ回路２５０をオンし、自身が制御権を持たない場合に自身のスイッチ回路２５０（２５０ａ，２５０ｂ）をオフするように構成されている。制御部３０も同様に構成されている。
【００７４】
従って、制御権を持つ制御部（２０または３０）からのみ、サーボ弁ＳＶに対する駆動電流が出力され、主制御装置ＣＴへバルブＶの位置信号が出力されるようになり、信号の干渉が生じないように構成されている。
【００７５】
制御権を持つ制御部（２０または３０）に異常が発生すると、制御権引渡し信号が待機中の制御部（３０または２０）に出力され、待機中の制御部（３０または２０）は、制御権引渡し信号を検出すると、自身のスイッチ回路２５０をオンして、バルブに対する制御を継続するように構成されている。
【００７６】
以下、リモート制御モードでの制御部２０を例にして制御権の引渡しについて詳述するが、ローカル制御モードでも同様であり、また、制御部３０も同様である。制御部２０に自身の異常を検出する複数の異常検出部を備えている。制御権を持っている場合に、異常検出部により自身の異常を検出すると、自身の制御信号を遮断するようにスイッチ回路２５０をオフするとともに、他の制御部３０に制御権を引き渡す制御権引渡し信号を出力するように構成されている。さらにそのときに、制御装置１に設けた警報部を作動して鳴動させる。
【００７７】
図７に示すように、異常検出部としてハードウェアによるウォッチドッグ回路２２０、ソフトウェアによるウォッチドッグタイマ２１０を備えている。
【００７８】
ウォッチドッグ回路２２０は、マイクロコンピュータ２１から所定周期で入力されるウォッチドッグパルス（以下、「ＷＤパルス」と記す。）によりリセットされるカウンタ回路と、カウンタ回路が所定値より大きくなると異常信号を出力するゲート回路を備えており、マイクロコンピュータ２１のＣＰＵに何らかの原因で暴走等の異常が発生し、ＷＤパルスが入力されない状態が所定時間継続するとカウンタ回路が所定値より大きくなり、異常信号が出力される。
【００７９】
ウォッチドッグタイマ２１０は、マイクロコンピュータ２１の内部タイマにより自動カウントされるカウンタを備えたファームウェアと、当該カウンタの値をソフトウェアによりリセットするプログラムで構成され、ＣＰＵの暴走等でプログラムによるリセットが所定時間行なわれないときに、ファームウェアにより異常信号（図中、「オーバーフロー」と記載された信号）が出力される。
【００８０】
ウォッチドッグ回路２２０またはウォッチドッグタイマ２１０の何れかから異常信号が入力されるとその状態を保持するラッチ回路を有するウォッチドッグエラー回路２３０を備え、ウォッチドッグエラー回路２３０から待機中の制御部３０に制御権を引き渡す制御権引渡し信号（図中、「制御ＣＰＵ異常／正常」と記載された信号で、正常時はハイレベル、異常時はローレベルとなる。）が出力される。
【００８１】
図７中、「他制御ＣＰＵ異常／正常」と記載された信号がマイクロコンピュータ２１に入力されているが、この信号は他方の制御部３０に備えたウォッチドッグエラー回路からの信号である。
【００８２】
上述したスイッチ回路２５０は、ＡＮＤゲートを備えた出力切替回路２４０により制御される。つまり、制御権を持つマイクロコンピュータ２１から出力されるハイレベルの制御切替信号と、ウォッチドッグエラー回路２３０から出力されるハイレベルの制御権引渡し信号が入力されているときにスイッチ回路２５０がオンされて制御信号及び位置信号が出力され、制御切替信号と制御権引渡し信号の少なくとも何れか一方の信号レベルがローレベルであるときにスイッチ回路２５０がオフされる。従って、制御権を持たない待機中のマイクロコンピュータ２１から出力されるローレベルの制御切替信号によりスイッチ回路２５０はオフされる。
【００８３】
従って、自身の制御信号の出力状態にかかわらず、ウォッチドッグ回路２２０またはウォッチドッグタイマ２１０の何れかから出力される異常信号により自身の制御信号及び位置信号を遮断するとともに、当該異常信号が制御権引渡し信号として他の制御部３０に出力される。
【００８４】
さらに、異常検出部として、開度センサＳ、サーボ弁ＳＶ、制御指令値の何れかの異常を、ＣＰＵで実行される制御プログラムに基づいて検出する機能ブロックである信号判別部２６０を備えている。
【００８５】
信号判別部２６０は、開度センサＳから入力されるバルブＶの開度値、主制御装置ＣＴから入力される制御指令値、ＰＩＤ演算の結果に基づいて出力されるサーボ弁ＳＶに対する電流値、主制御装置ＣＴに出力されるバルブＶの位置信号の夫々について、共有メモリＣＭに記憶された上下限の何れかの異常判定閾値を超える状態が所定時間継続したときに異常と判断して、その結果を共有メモリＣＭに記憶する。尚、電流値は、図７に示す電流検出部によって、サーボ出力部２３からの出力値がモニタされてマイクロコンピュータ２１に入力されるように構成されている。
【００８６】
信号判別部２６０により上述した何れかの異常が検出されると、マイクロコンピュータ２１から正常時にハイレベルで出力されるＣＰＵ異常信号がローレベルに切り替わり、ローレベルのＣＰＵ異常信号がウォッチドッグエラー回路２３０に入力されて、ウォッチドッグエラー回路２３０でローレベルにラッチされた制御権引渡し信号が待機中の制御部３０に出力される。尚、ＣＰＵ異常信号がローレベルに切り替えられると、ウォッチドッグ回路２２０の動作は停止する。
【００８７】
つまり、信号判別部２６０により何れかの異常を検出すると、自身の制御信号及び位置信号の出力状態にかかわらず、異常信号を出力して自身の制御信号及び位置信号を遮断するとともに、当該異常信号を制御権引渡し信号として他の制御部に出力するように構成されている。
【００８８】
また、制御部２０，３０間で、共有メモリＣＭに記憶されたバルブ開度値や制御値等の制御情報に基づいて、バルブ開度値及び各バルブ開度値に基づく制御値に過大な差分があると判断したときに、冗長設計された何れかの系に異常が発生している可能性があると判断して、制御を継続、つまり、制御権を引き渡さずに、警報部から警報を出力して、メンテナンスの必要性があることを報知する。
【００８９】
上述したウォッチドッグ回路２２０、ウォッチドッグタイマ２１０、ウォッチドッグエラー回路２３０と、マイクロコンピュータ２１に割り付けられたそれらの入出力信号ポート等により、制御権を持つ制御部２０，３０から異常信号を受けて、制御権引渡し信号を他の制御部３０，２０に出力する制御権取得回路２５，３５が構成されている。
【００９０】
制御権を持つ制御部３０の制御権取得回路３５から待機中の制御部２０に、ローレベルの制御権引渡し信号（図７中、「他制御ＣＰＵ異常／正常」信号）が入力されると、制御部２０に制御権が引き渡される。制御部２０は、出力切替回路２４０に対する制御切替信号をローレベルからハイレベルに切り替えて、スイッチ回路２５０をオンしてバルブＶに対する制御を継続する。
【００９１】
以上、説明したように、制御権を持つ制御部のみならず制御権を持たないバックアップ用の制御部も、開度センサから入力されるバルブ開度値と主制御装置またはスイッチＳＷ３から入力される制御指令値に基づいてバルブを駆動するアクチュエータの制御値を算出し、算出した制御値に基づいてアクチュエータに制御信号を出力するため、制御権が切り替えられた場合であっても、応答遅れ無く直ちに適切に制御を継続することができるようになる。
【００９２】
制御権を持つ制御部２０の信号判別部２６０により異常が検出され、待機中の制御部３０に制御権を引き渡す必要が生じた場合であっても、待機中の制御部３０の信号判別部２６０により同様の異常が検出されていることを共有メモリＣＭに記憶された制御情報に基づいて認識すると、制御不能状態と判断して、制御権を引き渡すことなく、バルブＶが閉塞するようにサーボ電流値をゼロに設定するフェールセーフ動作を実行する。
【００９３】
また、制御権を持つ制御部２０の信号判別部２６０により異常が検出され、待機中の制御部３０に制御権を引き渡す必要が生じた場合であっても、待機中の制御部３０から入力される制御権引渡し信号がローレベル、つまり、何らかの異常が発生していると判断できる場合には、制御不能状態と判断して、制御権を引き渡すことなく、バルブＶが閉塞するようにサーボ電流値をゼロに設定するフェールセーフ動作を実行する。
【００９４】
さらに、信号判別部２６０には、上述の制御権引渡しのための異常検出のみならず、油圧機構ＶＤを構成するポンプの圧力、アキュムレータの圧力、ＥＳＤ油圧、油液レベル、油圧シリンダＳＬのスラスト押し圧力または引き圧力（圧力センサにより検出される）等に異常が発生しているか否かを、予め共有メモリＣＭに記憶された制御パラメータに含まれる異常判定閾値や判定時間に基づいて判断し、異常と判断した場合に警報部を作動するように構成されている。
【００９５】
制御権を取得している制御部が何れであるか、制御のために選択されている開度センサが何れであるか、バルブの制御状態、上述した各種の異常状態等の各種の情報は、共有メモリＣＭを介して表示部４０に備えたカラー液晶表示ユニット４５に表示され、或は、通信インタフェース４２を介して接続されたパーソナルコンピュータＰＣの画面に表示される。
【００９６】
各制御部２０，３０は、予め設定された制御周期（例えば、１０ｍｓｅｃ．周期）で、制御指令値や開度センサＳからの開度値等の読込処理、ＰＩＤ制御演算処理、サーボ弁に対する制御信号や位置信号等の出力処理、異常検出処理等の一連の処理を繰り返し実行し、その結果を自身の共有メモリＣＭに記憶する。
【００９７】
各共有メモリＣＭ間を接続するローカルネットワークにより、上述の制御周期とほぼ同一の周期で相互のデータが読み書きされて互いにデータを共有する。
【００９８】
表示部４０は、共有メモリＣＭに記憶された制御情報に基づいて表示処理を行ない、さらに、予め設定された制御情報を上述の制御周期より長い周期（例えば１秒周期）で時刻情報と共にＳＲＡＭ４４に書き込むとともに、ＳＤメモリ４６に書き込む。ＳＲＡＭ４４にはリングバッファ方式で４時間程度の制御情報が記憶され、ＳＤメモリ４６には数年に亘る制御情報が記憶される。
【００９９】
このように、バルブＶに対する制御シーケンスを実行する制御部２０，３０と、その結果を表示する表示部４０とを、共有メモリＣＭを介することにより機能分散しているため、制御部２０，３０に表示処理のための負荷を掛けることによる制御の遅延を招くことなく、円滑に表示処理することが可能となる。
【０１００】
表示部４０は、共有メモリＣＭを介して制御部２０，３０から上述した計測データや異常データをＳＲＡＭ４４の第一記憶領域に書き込むとともに、異常データが発生したときには、その発生時点より前の数分の計測データを第一記憶領域から読み出して、フリーズデータとして第二記憶領域に書き込む。
【０１０１】
さらに、表示部４０は、異常データが発生したときには、カラー液晶表示ユニット４５に異常種別を特定した異常発生情報を表示するとともに、必要に応じてアラームを鳴動させる。
【０１０２】
定期的な点検や、何らかの異常が発生したときに、赤外線インタフェース４３を介してメンテナンス用のパーソナルコンピュータ７０が接続されると、表示部４０は、当該パーソナルコンピュータＰＣからの要求に応じてＳＲＡＭ４４に格納された計測データや異常データを読み出して当該パーソナルコンピュータＰＣに出力する。
【０１０３】
尚、防爆構造のケーシングＣの扉を開放することなく扉を閉めた状態で、パーソナルコンピュータＰＣと通信可能なインタフェースであれば、赤外線インタフェース４３に限るものではなく、他の波長を用いた光通信インタフェースであってもよい。例えば、表示部に備えた光通信インタフェースとケーシングＣの扉に固定されたカップラ間に光ファイバを介装して、パーソナルコンピュータＰＣと光ファイバを介して接続するものであってもよい。
【０１０４】
つまり、開度センサから入力されるバルブ開度値と主制御装置から入力されるバルブの制御指令値に基づいて、油圧機構を制御してバルブの開度をフィードバック制御する制御部と、制御部による制御情報を記憶する記憶部とが防爆構造体に収容され、防爆構造体に収容された状態で記憶部に記憶された制御情報を読み出す情報収集装置を接続可能な光通信インタフェースを備え、バルブの制御状態を表示する表示部に記憶部及び光通信インタフェースを備えるとともに、表示部と制御部の夫々にＬＡＮ接続された共有メモリを備え、表示部が共有メモリを介して取得した制御情報を記憶部に記憶し、光通信インタフェースを介して情報収集装置に制御情報を出力するように構成されている。
【０１０５】
上述の各種の実施形態は、本発明の一実施例であり、本発明による作用効果を奏する範囲で各部の具体的な回路構成等は適宜変更設計できるものである。
【図面の簡単な説明】
【０１０６】
【図１】本発明による制御装置が組み込まれたシステムのブロック構成図
【図２】油圧ユニットの説明図
【図３】バルブ、油圧シリンダ、開度センサの説明図
【図４】油圧ユニットに組み込まれた制御装置を構成する基板の説明図
【図５】表示部によりカラー液晶表示ユニットに表示される画面の説明図
【図６】制御装置を構成する二つの制御部と表示部の機能ブロック構成図
【図７】制御部の要部の構成図
【図８】制御モード切替動作を示すフローチャート
【符号の説明】
【０１０７】
１：制御装置
２０，３０：制御部
２１ａ，３１ａ：制御モード切替制御部
４０：表示部
４１ａ：案内表示部
４３：光通信インタフェース（赤外線インタフェース）
ＣＴ：主制御装置
Ｓ，Ｓ１，Ｓ１：開度センサ
ＳＶ：アクチュエータ（サーボ弁）
ＳＷ２：制御モード切替操作部
ＳＷ３：手動操作部
Ｖ：バルブ
ＶＤ：油圧機構
【図１】
2010039714.tif 000003
【図２】
2010039714.tif 000004
【図３】
2010039714.tif 000005
【図４】
2010039714.tif 000006
【図５】
2010039714.tif 000007
【図６】
2010039714.tif 000008
【図７】
2010039714.tif 000009
【図８】
2010039714.tif 000010